(57)【要約】  本発明に係るタッチパネルディスプレイの駆動回路は、データライン駆動ユニット、複数のゲートライン及び複数のデータラインを備え、隣接する２つのゲートラインと隣接する２つのデータラインとの交差箇所に画素領域が形成され、前記画素領域内に画素スイッチが設けられ、前記タッチパネルディスプレイの駆動回路は、前記データラインと前記データライン駆動ユニットとの間にあるデータラインスイッチをさらに備え、前記データライン駆動ユニットがデータ信号を出力しない場合、前記データラインスイッチの出力が高抵抗状態であり、前記データライン駆動ユニットと前記画素スイッチとが切断される。本発明は、トランジスタのリーク電流による読み出しエラー現象の発生を防止し、表示輝度及び表示画面の安定性を向上させ、タッチパネルディスプレイの表示効果を向上させることができる。本発明のタッチパネルディスプレイ及び電子機器は、トランジスタのリーク電流による読み出しエラー現象の発生を防止し、回路の全体の消費電力を低減させ、表示輝度及び表示画面の安定性を向上させ、表示効果を向上させることができる。
2019516193.tif 000002
【特許請求の範囲】
【請求項１】
データライン駆動ユニット、複数のゲートライン及び複数のデータラインを含むタッチパネルディスプレイの駆動回路であって、
前記データライン駆動ユニットはデータ信号を生成して、前記複数のデータラインに提供することに用いられ、
前記複数のゲートラインは第１方向に延び且つ第２方向に間隔を置いて配列され、
前記複数のデータラインは前記第２方向に延び且つ前記第１方向に間隔を置いて配列され、
前記複数のデータラインと前記複数のゲートラインとは絶縁され、隣接する２つのゲートラインと隣接する２つのデータラインとの交差箇所に画素領域が形成され、前記画素領域内に画素スイッチが設けられ、前記タッチパネルディスプレイの駆動回路は、前記データラインと前記データライン駆動ユニットとの間にあるデータラインスイッチをさらに含み、
前記データライン駆動ユニットがデータ信号を出力しない場合、前記データラインスイッチの出力が高抵抗状態であり、前記データライン駆動ユニットと前記画素スイッチとが切断されるタッチパネルディスプレイの駆動回路。
【請求項２】
前記データライン駆動ユニットがデータ信号を出力する場合、前記データラインスイッチが導通し、前記データライン駆動ユニットと前記画素スイッチとが通路を形成する請求項１に記載のタッチパネルディスプレイの駆動回路。
【請求項３】
前記データラインスイッチは電圧比較器を含み、前記電圧比較器の同相入力端子が前記データライン駆動ユニットに電気的に接続され、前記電圧比較器の逆相入力端子が接地され、前記電圧比較器の出力端子が前記データラインを介して前記画素スイッチに電気的に接続される請求項１に記載のタッチパネルディスプレイの駆動回路。
【請求項４】
各前記画素領域は３つの画素スイッチを備え、前記３つの画素スイッチはそれぞれ赤サブ画素、緑サブ画素及び青サブ画素を制御する請求項１に記載のタッチパネルディスプレイの駆動回路。
【請求項５】
画像制御ユニット及び３つの画素選択スイッチをさらに備え、各前記画素選択スイッチは１つの前記画素スイッチと前記データラインスイッチとの間にあり、前記画像制御ユニットは前記画素選択スイッチの導通又は遮断を制御し、前記画素選択スイッチが導通する場合、前記画素選択スイッチに対応する画素スイッチがオンになる請求項４に記載のタッチパネルディスプレイの駆動回路。
【請求項６】
前記画素スイッチは第１薄膜トランジスタを備え、前記画素選択スイッチは第２薄膜トランジスタを備え、前記第１薄膜トランジスタのゲートが前記ゲートラインに電気的に接続され、前記第１薄膜トランジスタのソースが第２薄膜トランジスタのドレインに電気的に接続され、前記第１薄膜トランジスタのドレインがキャパシタに電気的に接続され、前記第２薄膜トランジスタのゲートが前記画像制御ユニットに電気的に接続され、前記第２薄膜トランジスタのソースが前記データライン駆動ユニットに電気的に接続される請求項５に記載のタッチパネルディスプレイの駆動回路。
【請求項７】
前記第１薄膜トランジスタは、ＰＭＯＳ薄膜トランジスタ、ＮＭＯＳ薄膜トランジスタ又はＣＭＯＳ薄膜トランジスタであり、前記第２薄膜トランジスタは、ＰＭＯＳ薄膜トランジスタ、ＮＭＯＳ薄膜トランジスタ又はＣＭＯＳ薄膜トランジスタである請求項６に記載のタッチパネルディスプレイの駆動回路。
【請求項８】
前記キャパシタは液晶キャパシタ及び蓄積キャパシタを備え、前記液晶キャパシタは一端が前記第１薄膜トランジスタのドレインに電気的に接続され、他端が共通電極に接続され、前記蓄積キャパシタは一端が前記第１薄膜トランジスタのドレインに電気的に接続され、他端が共通電極に接続される請求項６に記載のタッチパネルディスプレイの駆動回路。
【請求項９】
駆動回路を含むタッチパネルディスプレイであって、
前記駆動回路はデータライン駆動ユニット、複数のゲートライン及び複数のデータラインを備え、
前記データライン駆動ユニットはデータ信号を生成して、前記複数のデータラインに提供することに用いられ、
前記複数のゲートラインは第１方向に延び且つ第２方向に間隔を置いて配列され、
前記複数のデータラインは前記第２方向に延び且つ前記第１方向に間隔を置いて配列され、
前記複数のデータラインと前記複数のゲートラインとは絶縁され、隣接する２つのゲートラインと隣接する２つのデータラインとの交差箇所に画素領域が形成され、前記画素領域内に画素スイッチが設けられ、前記タッチパネルディスプレイの駆動回路は、前記データラインと前記データライン駆動ユニットとの間にあるデータラインスイッチをさらに含み、
前記データライン駆動ユニットがデータ信号を出力しない場合、前記データラインスイッチの出力が高抵抗状態であり、前記データライン駆動ユニットと前記画素スイッチとが切断されるタッチパネルディスプレイ。
【請求項１０】
前記データライン駆動ユニットがデータ信号を出力する場合、前記データラインスイッチが導通し、前記データライン駆動ユニットと前記画素スイッチとが通路を形成する請求項９に記載のタッチパネルディスプレイ。
【請求項１１】
前記データラインスイッチは電圧比較器を含み、前記電圧比較器の同相入力端子が前記データライン駆動ユニットに電気的に接続され、前記電圧比較器の逆相入力端子が接地され、前記電圧比較器の出力端子が前記データラインを介して前記画素スイッチに電気的に接続される請求項９に記載のタッチパネルディスプレイ。
【請求項１２】
各前記画素領域は３つの画素スイッチを備え、前記３つの画素スイッチはそれぞれ赤サブ画素、緑サブ画素及び青サブ画素を制御する請求項９に記載のタッチパネルディスプレイ。
【請求項１３】
前記タッチパネルディスプレイは、画像制御ユニット及び３つの画素選択スイッチをさらに備え、各前記画素選択スイッチは１つの前記画素スイッチと前記データラインスイッチとの間にあり、前記画像制御ユニットは前記画素選択スイッチの導通又は遮断を制御し、前記画素選択スイッチが導通する場合、前記画素選択スイッチに対応する画素スイッチがオンになる請求項１２に記載のタッチパネルディスプレイ。
【請求項１４】
前記画素スイッチは第１薄膜トランジスタを含み、前記画素選択スイッチは第２薄膜トランジスタを含み、前記第１薄膜トランジスタのゲートが前記ゲートラインに電気的に接続され、前記第１薄膜トランジスタのソースが第２薄膜トランジスタのドレインに電気的に接続され、前記第１薄膜トランジスタのドレインがキャパシタに電気的に接続され、前記第２薄膜トランジスタのゲートが前記画像制御ユニットに電気的に接続され、前記第２薄膜トランジスタのソースが前記データライン駆動ユニットに電気的に接続される請求項１３に記載のタッチパネルディスプレイ。
【請求項１５】
前記第１薄膜トランジスタは、ＰＭＯＳ薄膜トランジスタ、ＮＭＯＳ薄膜トランジスタ又はＣＭＯＳ薄膜トランジスタであり、前記第２薄膜トランジスタは、ＰＭＯＳ薄膜トランジスタ、ＮＭＯＳ薄膜トランジスタ又はＣＭＯＳ薄膜トランジスタである請求項１４に記載のタッチパネルディスプレイ。
【請求項１６】
前記キャパシタは液晶キャパシタ及び蓄積キャパシタを含み、前記液晶キャパシタは一端が前記第１薄膜トランジスタのドレインに電気的に接続され、他端が共通電極に接続され、前記蓄積キャパシタは一端が前記第１薄膜トランジスタのドレインに電気的に接続され、他端が共通電極に接続される請求項１４に記載のタッチパネルディスプレイ。
【請求項１７】
タッチパネルディスプレイを含む電子機器であって、
前記タッチパネルディスプレイは、
データライン駆動ユニット、複数のゲートライン及び複数のデータラインを含み、
前記データライン駆動ユニットはデータ信号を生成して、前記複数のデータラインに提供することに用いられ、
前記複数のゲートラインは第１方向に延び且つ第２方向に間隔を置いて配列され、
前記複数のデータラインは前記第２方向に延び且つ前記第１方向に間隔を置いて配列され、
前記複数のデータラインと前記複数のゲートラインとは絶縁され、隣接する２つのゲートラインと隣接する２つのデータラインとの交差箇所に画素領域が形成され、前記画素領域内に画素スイッチが設けられ、前記タッチパネルディスプレイの駆動回路は、前記データラインと前記データライン駆動ユニットとの間にあるデータラインスイッチをさらに含み、
前記データライン駆動ユニットがデータ信号を出力しない場合、前記データラインスイッチの出力が高抵抗状態であり、前記データライン駆動ユニットと前記画素スイッチとが切断される電子機器。
【請求項１８】
前記データライン駆動ユニットがデータ信号を出力する場合、前記データラインスイッチが導通し、前記データライン駆動ユニットと前記画素スイッチとが通路を形成する請求項１７に記載の電子機器。
【請求項１９】
前記データラインスイッチは電圧比較器を備え、前記電圧比較器の同相入力端子が前記データライン駆動ユニットに電気的に接続され、前記電圧比較器の逆相入力端子が接地され、前記電圧比較器の出力端子が前記データラインを介して前記画素スイッチに電気的に接続される請求項１７に記載の電子機器。
【請求項２０】
各前記画素領域は３つの画素スイッチを備え、前記３つの画素スイッチはそれぞれ赤サブ画素、緑サブ画素及び青サブ画素を制御する請求項１７に記載の電子機器。
【発明の詳細な説明】
【技術分野】
【０００１】
本発明は、２０１６年５月０４日に出願された、発明の名称が「タッチパネルディスプレイ及びその駆動回路、電子機器」で、出願番号が２０１６１０２８８５８４．６である先願の優先権を主張し、上記先願の内容が引用により本明細書に組み込まれる。
【０００２】
本発明は、タッチ表示の技術分野に属し、具体的に、タッチパネルディスプレイ及びその駆動回路、電子機器に関する。
【背景技術】
【０００３】
スマート電子製品の普及に伴い、静電容量型タッチパネルは、携帯電話、タブレットパソコン等の電子製品に幅広く適用されている。現在、一般的な静電容量型タッチパネルは、ＯＧＳ（Ｏｎｅ  Ｇｌａｓｓ  Ｓｏｌｕｔｉｏｎ、すなわちワングラスソリューション）、Ｏｎ−Ｃｅｌｌ（オンセル型）及びＩｎ−Ｃｅｌｌ（インセル型）の３つの技術がある。Ｉｎ−Ｃｅｌｌ技術は、その製造プロセス上の利点のため、ＯＧＳ技術及びＯｎ−Ｃｅｌｌ技術に比べて、軽くて薄く、光透過性に優れ、構造が安定する等の利点を有する。
【０００４】
インセル型（Ｉｎ  Ｃｅｌｌ）光学式タッチの一実施態様として、従来技術は、一般的に、ゲートが行画素の１つのゲートラインに接続されるトランジスタを設置し、また、当該トランジスタのソース及びドレインの一方が列画素の１つのデータラインに接続され、他方がタッチ信号を記憶するためのキャパシタに接続される。それにより、当該トランジスタは各画素ユニットのタッチ信号に対する走査読み出しを実現することができる。
【０００５】
しかしながら、トランジスタはリーク電流の状況が存在するため、行画素ユニットのタッチ信号を走査読み出すとき、データラインが他の行のリーク電流によるノイズ信号を受信し、読み出しエラー現象が発生する恐れがある。また、読み出しエラーのため、タッチは表示時間を何度も占有し、全体の消費電力を増加させ、最終的にスクリーンの輝度が低下し、表示画面が不安定になり、表示効果が低下する。
【発明の概要】
【発明が解決しようとする課題】
【０００６】
本発明の目的は、タッチパネルディスプレイの駆動回路を提供することである。前記駆動回路は、リーク電流現象の発生を防止し、読み出しエラーを回避するとともに、回路の消費電力を低減させ、表示輝度及び表示画面の安定性を向上させ、タッチパネルディスプレイの表示効果を向上させることができる。
【０００７】
本発明の別の目的は、上記駆動回路を利用したタッチパネルディスプレイを提供することである。
【０００８】
本発明の別の目的は、上記タッチパネルディスプレイを利用した電子機器を提供することである。
【課題を解決するための手段】
【０００９】
上記目的を実現するために、本発明の実施形態は以下の解決方法を提供する。
【００１０】
本発明はタッチパネルディスプレイの駆動回路を提供し、当該タッチパネルディスプレイの駆動回路は、データライン駆動ユニット、複数のゲートライン及び複数のデータラインを備え、前記データライン駆動ユニットはデータ信号を生成して、前記複数のデータラインに提供することに用いられ、前記複数のゲートラインは第１方向に延び且つ第２方向に間隔を置いて配列され、前記複数のデータラインは前記第２方向に延び且つ前記第１方向に間隔を置いて配列され、前記複数のデータラインと前記複数のゲートラインとは絶縁され、隣接する２つのゲートラインと隣接する２つのデータラインとの交差箇所に画素領域が形成され、前記画素領域内に画素スイッチが設けられ、前記タッチパネルディスプレイの駆動回路は、前記データラインと前記データライン駆動ユニットとの間にあるデータラインスイッチをさらに備え、前記データライン駆動ユニットがデータ信号を出力しない場合、前記データラインスイッチの出力が高抵抗状態であり、前記データライン駆動ユニットと前記画素スイッチとが切断される。
【００１１】
ここで、前記データライン駆動ユニットがデータ信号を出力する場合、前記データラインスイッチが導通し、前記データライン駆動ユニットと前記画素スイッチとが通路を形成する。
【００１２】
ここで、前記データラインスイッチは電圧比較器を備え、前記電圧比較器の同相入力端子が前記データライン駆動ユニットに電気的に接続され、前記電圧比較器の逆相入力端子が接地され、前記電圧比較器の出力端子が前記データラインを介して前記画素スイッチに電気的に接続される。
【００１３】
ここで、各画素領域は３つの画素スイッチを備え、前記３つの画素スイッチはそれぞれ赤サブ画素、緑サブ画素及び青サブ画素を制御する。
【００１４】
ここで、画像制御ユニット及び３つの画素選択スイッチをさらに備え、各前記画素選択スイッチは１つの前記画素スイッチと前記データラインスイッチとの間にあり、前記画像制御ユニットは前記画素選択スイッチの導通又は遮断を制御し、前記画素選択スイッチが導通する場合、前記画素選択スイッチに対応する画素スイッチがオンになる。
【００１５】
ここで、前記画素スイッチは第１薄膜トランジスタを備え、前記画素選択スイッチは第２薄膜トランジスタを備え、前記第１薄膜トランジスタのゲートが前記ゲートラインに電気的に接続され、前記第１薄膜トランジスタのソースが第２薄膜トランジスタのドレインに電気的に接続され、前記第１薄膜トランジスタのドレインがキャパシタに電気的に接続され、前記第２薄膜トランジスタのゲートが前記画像制御ユニットに電気的に接続され、前記第２薄膜トランジスタのソースが前記データライン駆動ユニットに電気的に接続される。
【００１６】
ここで、前記第１薄膜トランジスタは、ＰＭＯＳ薄膜トランジスタ、ＮＭＯＳ薄膜トランジスタ又はＣＭＯＳ薄膜トランジスタであり、前記第２薄膜トランジスタは、ＰＭＯＳ薄膜トランジスタ、ＮＭＯＳ薄膜トランジスタ又はＣＭＯＳ薄膜トランジスタである。
【００１７】
ここで、前記キャパシタは液晶キャパシタ及び蓄積キャパシタを備え、前記液晶キャパシタは一端が前記第１薄膜トランジスタのドレインに電気的に接続され、他端が共通電極に接続され、前記蓄積キャパシタは一端が前記第１薄膜トランジスタのドレインに電気的に接続され、他端が共通電極に接続される。
【００１８】
本発明は、タッチパネルディスプレイを提供し、当該タッチパネルディスプレイは、駆動回路を備え、前記駆動回路はデータライン駆動ユニット、複数のゲートライン及び複数のデータラインを備え、前記データライン駆動ユニットはデータ信号を生成して、前記複数のデータラインに提供することに用いられ、前記複数のゲートラインは第１方向に延び且つ第２方向に間隔を置いて配列され、前記複数のデータラインは前記第２方向に延び且つ前記第１方向に間隔を置いて配列され、前記複数のデータラインと前記複数のゲートラインとは絶縁され、隣接する２つのゲートラインと隣接する２つのデータラインとの交差箇所に画素領域が形成され、前記画素領域内に画素スイッチが設けられ、前記タッチパネルディスプレイの駆動回路は、前記データラインと前記データライン駆動ユニットとの間にあるデータラインスイッチをさらに備え、前記データライン駆動ユニットがデータ信号を出力しない場合、前記データラインスイッチの出力が高抵抗状態であり、前記データライン駆動ユニットと前記画素スイッチとが切断される。
【００１９】
ここで、前記データライン駆動ユニットがデータ信号を出力する場合、前記データラインスイッチが導通し、前記データライン駆動ユニットと前記画素スイッチとが通路を形成する。
【００２０】
ここで、前記データラインスイッチは電圧比較器を備え、前記電圧比較器の同相入力端子が前記データライン駆動ユニットに電気的に接続され、前記電圧比較器の逆相入力端子が接地され、前記電圧比較器の出力端子が前記データラインを介して前記画素スイッチに電気的に接続される。
【００２１】
ここで、各画素領域は３つの画素スイッチを備え、前記３つの画素スイッチはそれぞれ赤サブ画素、緑サブ画素及び青サブ画素を制御する。
【００２２】
ここで、画像制御ユニット及び３つの画素選択スイッチをさらに備え、各前記画素選択スイッチは１つの前記画素スイッチと前記データラインスイッチとの間にあり、前記画像制御ユニットは前記画素選択スイッチの導通又は遮断を制御し、前記画素選択スイッチが導通する場合、前記画素選択スイッチに対応する画素スイッチがオンになる。
【００２３】
ここで、前記画素スイッチは第１薄膜トランジスタを備え、前記画素選択スイッチは第２薄膜トランジスタを備え、前記第１薄膜トランジスタのゲートが前記ゲートラインに電気的に接続され、前記第１薄膜トランジスタのソースが第２薄膜トランジスタのドレインに電気的に接続され、前記第１薄膜トランジスタのドレインがキャパシタに電気的に接続され、前記第２薄膜トランジスタのゲートが前記画像制御ユニットに電気的に接続され、前記第２薄膜トランジスタのソースが前記データライン駆動ユニットに電気的に接続される。
【００２４】
ここで、前記第１薄膜トランジスタは、ＰＭＯＳ薄膜トランジスタ、ＮＭＯＳ薄膜トランジスタ又はＣＭＯＳ薄膜トランジスタであり、前記第２薄膜トランジスタは、ＰＭＯＳ薄膜トランジスタ、ＮＭＯＳ薄膜トランジスタ又はＣＭＯＳ薄膜トランジスタである。
【００２５】
ここで、前記キャパシタは液晶キャパシタ及び蓄積キャパシタを備え、前記液晶キャパシタは一端が前記第１薄膜トランジスタのドレインに電気的に接続され、他端が共通電極に接続され、前記蓄積キャパシタは一端が前記第１薄膜トランジスタのドレインに電気的に接続され、他端が共通電極に接続される。
【００２６】
本発明は、電子機器を提供し、当該電子機器は、タッチパネルディスプレイを備え、前記タッチパネルディスプレイは、データライン駆動ユニット、複数のゲートライン及び複数のデータラインを備え、前記データライン駆動ユニットはデータ信号を生成して、前記複数のデータラインに提供することに用いられ、前記複数のゲートラインは第１方向に延び且つ第２方向に間隔を置いて配列され、前記複数のデータラインは前記第２方向に延び且つ前記第１方向に間隔を置いて配列され、前記複数のデータラインと前記複数のゲートラインとは絶縁され、隣接する２つのゲートラインと隣接する２つのデータラインとの交差箇所に画素領域が形成され、前記画素領域内に画素スイッチが設けられ、前記タッチパネルディスプレイの駆動回路は、前記データラインと前記データライン駆動ユニットとの間にあるデータラインスイッチをさらに備え、前記データライン駆動ユニットがデータ信号を出力しない場合、前記データラインスイッチの出力が高抵抗状態であり、前記データライン駆動ユニットと前記画素スイッチとが切断される。
【００２７】
ここで、前記データライン駆動ユニットがデータ信号を出力する場合、前記データラインスイッチが導通し、前記データライン駆動ユニットと前記画素スイッチとが通路を形成する。
【００２８】
ここで、前記データラインスイッチは電圧比較器を備え、前記電圧比較器の同相入力端子が前記データライン駆動ユニットに電気的に接続され、前記電圧比較器の逆相入力端子が接地され、前記電圧比較器の出力端子が前記データラインを介して前記画素スイッチに電気的に接続される。
【００２９】
ここで、各画素領域は３つの画素スイッチを備え、前記３つの画素スイッチはそれぞれ赤サブ画素、緑サブ画素及び青サブ画素を制御する。
【発明の効果】
【００３０】
本発明の実施例は以下の利点又は有益な効果を有する。
【００３１】
本発明において、画素電極とデータライン駆動ユニットとの間にデータラインスイッチを設ける方法で、データライン駆動ユニットが信号を出力しない場合、前記画素電極と前記データライン駆動ユニットとが切断されるという目的を実現し、それにより、トランジスタのリークによる読み出しエラー現象の発生を防止し、回路の全体の消費電力を低減させ、表示輝度及び表示画面の安定性を向上させ、タッチパネルディスプレイの表示効果を向上させる。本発明のタッチパネルディスプレイ及び電子機器は、トランジスタのリーク電流による読み出しエラー現象の発生を防止し、回路の全体の消費電力を低減させ、表示効果を向上させることができる。
【００３２】
本発明の実施例又は従来技術の解決方法をより明瞭に説明するために、以下では実施例又は従来技術の記述に必要な図面を簡単に説明し、明らかなように、以下で説明される図面は本発明の一部の実施例に過ぎず、当業者にとって、創造的な労働を必要とせずに、これらの図面に基づいて他の図面を得ることができる。
【図面の簡単な説明】
【００３３】
【図１】図１は本発明のタッチパネルディスプレイの駆動回路の模式図である。
【発明を実施するための形態】
【００３４】
以下では、本発明実施例の図面を参照しながら、本発明実施例の解決方法を明瞭で完全に説明し、勿論、説明される実施例は本発明の一部の実施例に過ぎず、全ての実施例ではない。本発明の実施例に基づいて、当業者が創造的な労働を必要とせずに得るすべての他の実施例は、いずれも本発明の保護範囲に属する。
【００３５】
図１を参照し、本発明のタッチパネルディスプレイの駆動回路は、データライン駆動ユニット１０、画素電極、データラインスイッチ２０、複数のゲートライン及び複数のデータラインを備え、前記複数のゲートラインは第１方向Ａに延び、第２方向Ｂに間隔を置いて配列され、前記複数のデータラインは前記第２方向Ｂに延び、前記第１方向に間隔を置いて配列され、前記複数のデータラインと前記複数のゲートラインとは絶縁され、隣接する２つのゲートラインと隣接する２つのデータラインとの交差箇所に画素領域が形成される。例えば、ゲートラインＧ（ｎ）及びＧ（ｎ＋１）とデータラインＤ（ｎ）及びＤ（ｎ＋１）とが互いに交差して画素領域を構成する。画素領域に画素スイッチ３０が設けられ、画素スイッチ３０はそれぞれ、それに対応するゲートライン及びデータラインに電気的に結合される。前記画素スイッチ３０と前記データライン駆動ユニット１０との間にさらにデータラインスイッチ２０が設けられ、前記データライン駆動ユニット１０がデータ信号（すなわち電流）を出力する場合、前記データラインスイッチ２０が導通し、前記データライン駆動ユニット１０と画素スイッチ３０とが通路を形成する。言い換えれば、前記データライン駆動ユニット１０と前記画素スイッチ３０とが通路を形成する。データライン駆動ユニット１０がデータ信号を出力しない場合、前記データラインスイッチ２０が遮断状態であり、前記データライン駆動ユニット１０と前記画素スイッチ３０とが切断される。つまり、前記データライン駆動ユニット１０と画素スイッチ３０とが開回路を形成する。
【００３６】
本発明のタッチパネルディスプレイの駆動回路の作動原理は以下のとおりである。タッチパネルディスプレイは画面を表示する必要がある場合、ゲートライン駆動ユニット（図示せず）がゲート信号を前記ゲートラインへ出力し、前記ゲートラインがゲート信号を画素スイッチ３０に伝達して画素スイッチ３０を導通状態にするように制御する。同時に、データライン駆動ユニット１０がデータ信号を出力し、前記データ信号が対応するデータラインを介してデータラインスイッチ２０へ伝達され、この時にデータラインスイッチ２０が導通し、データ信号が画素スイッチ３０に入り、それにより前記データライン駆動ユニット１０と前記画素スイッチ３０とが通路を形成し、タッチパネルディスプレイは対応した画面を表示する。タッチパネルディスプレイは画面を表示しない場合、画素スイッチ３０が遮断状態であるが、画素スイッチ３０自体に一定のリーク電流現象が存在するため、リーク電流が前記データラインスイッチ２０に流れる。この時のデータライン駆動ユニット１０がデータ信号を出力せず、そのため、データラインスイッチ２０が遮断状態であり、リーク電流がデータラインスイッチ２０を介して前記データライン駆動ユニット１０と放電回路を形成できない。それにより、データラインが他の行のリーク電流によるノイズ信号を受信する可能性を回避し、読み出しエラー現象の発生を回避する。全体の消費電力を低減させ、表示輝度及び表示画面の安定性を向上させ、タッチパネルディスプレイの表示効果を向上させる。
【００３７】
具体的な一実施例では、前記データラインスイッチ２０は電圧比較器Ｕを備え、前記電圧比較器Ｕの同相入力端子が前記データライン駆動ユニット１０に接続され、前記電圧比較器Ｕの逆相入力端子が接地され、前記出力端子が前記画素スイッチに接続される。データライン駆動ユニット１０がデータ信号を前記電圧比較器Ｕの同相入力端子に伝送する場合のみ、電圧比較器Ｕが導通し、前記データライン駆動ユニット１０と前記画素スイッチとが通路を形成する。
【００３８】
さらに具体的には、各画素領域はいずれもＲ（赤）、Ｇ（緑）、Ｂ（青）サブ画素を含む。画素領域における各サブ画素はいずれも１つの画素スイッチ３０によって制御される。つまり、各前記画素領域はいずれも３つの画素スイッチ３０を備え、各画素スイッチ３０はそれぞれ１つのサブ画素に対応する。同一の画素領域の３つの画素スイッチ３０は同一のデータラインによってデータ信号を伝送する。従って、前記タッチパネルディスプレイの駆動回路はさらに、画像制御ユニット４０及び画素選択スイッチ５０を備える。前記画像制御ユニット４０は外部グラフィックスコントローラ（図示せず）から画像入力信号（Ｒ、Ｇ及びＢ）及び画像入力信号の表示を制御するための複数の入力制御信号、例えば垂直同期信号Ｖｓｙｎｃ、水平同期信号Ｈｓｙｎｃ、メインクロック信号ＭＣＬＫ、データイネーブル信号ＤＥを受信する。画像制御ユニット４０は入力制御信号に基づいて画像入力信号（Ｒ、Ｇ及びＢ）を適切に処理することにより、タッチパネルディスプレイの操作条件に合致する画像データを生成する。前記画素選択スイッチ５０が前記画素スイッチ３０と前記データラインスイッチ２０との間にあり、前記画像制御ユニット４０が前記画素選択スイッチ５０の導通と遮断を制御し、それによりデータライン駆動ユニット１０と対応する画素スイッチ３０とが通路を形成する。具体的な一実施例では、画素スイッチは赤サブ画素のみを表示する必要がある場合、前記画像制御ユニット４０が赤サブ画素に対応する画素選択スイッチ５０を導通するように制御して、赤サブ画素に対応する画素スイッチ３０と前記データライン駆動ユニット１０とに通路を形成させ、前記画像制御ユニット４０がそれぞれ緑サブ画素及び青サブ画素に接続される別の２つの画素選択スイッチ５０を遮断するように制御し、この時、当該画素スイッチは赤サブ画素のみを表示する。
【００３９】
さらに、前記画素領域にキャパシタがさらに設けられ、前記キャパシタは液晶キャパシタＣｌｃ及び蓄積キャパシタＣｓｔを備え、前記液晶キャパシタＣｌｃが前記画素スイッチ３０と共通電極６０との間にある。共通電極６０はタッチパネルディスプレイの全ての画素領域により共有される。本実施形態では、共通電極は一定の電圧Ｖｃｏｍが時間的に印加される。それにより、液晶キャパシタＣｌｃの透過率を変化させて、対応する画像を表示する。さらに、液晶に書き込まれた画像信号の漏れを防止するために、画素スイッチ３０と共通電極６０との間に形成された液晶キャパシタＣｌｃと蓄積キャパシタＣｓｔが並列接続される。蓄積キャパシタＣｓｔは液晶キャパシタＣｌｃに印加された電圧を保持して、画像信号の漏れを防止することができる。液晶キャパシタＣｌｃ及び蓄積キャパシタＣｓｔはともにＬＣＤ装置の駆動負荷として機能する。
【００４０】
理解できることは、さらに具体的に、前記画素スイッチ３０は第１薄膜トランジスタであり、前記第１薄膜トランジスタのゲートが前記ゲートラインに接続され、前記第１薄膜トランジスタのソースが前記データラインに接続され、前記第１薄膜トランジスタのドレインがキャパシタ（すなわち、液晶キャパシタＣｌｃ及び蓄積キャパシタＣｓｔ）に接続される。
【００４１】
好ましくは、前記薄膜トランジスタは、ＰＭＯＳ薄膜トランジスタ、ＮＭＯＳ薄膜トランジスタ又はＣＭＯＳ薄膜トランジスタであってもよい。
【００４２】
さらに、前記画素選択スイッチ５０は第２薄膜トランジスタを用いてもよく、第２薄膜トランジスタのソースがデータラインを介して前記第１薄膜トランジスタのソースに接続され、前記第２薄膜トランジスタのゲートが前記画像制御ユニットに電気的に接続され、前記第２薄膜トランジスタのソースが前記データライン駆動ユニット１０に電気的に接続される。好ましくは、前記薄膜トランジスタは、ＰＭＯＳ薄膜トランジスタ、ＮＭＯＳ薄膜トランジスタ又はＣＭＯＳ薄膜トランジスタであってもよい。
【００４３】
本発明はさらに、上記駆動回路を用いたタッチパネルディスプレイを提供する。
【００４４】
本発明はさらに、上記タッチパネルディスプレイを用いた電子機器を提供し、前記電子機器は、電子ペーパー、液晶テレビ、携帯電話、デジタルフォトフレーム、タブレットパソコン等の表示機能を有する任意の製品又は部材を含むが、それらに限定されない。
【００４５】
本明細書の記述において、用語の「１つの実施例」、「一部の実施例」、「例示」、「具体的な例示」、又は「一部の例示」等の記述は、当該実施例又は例示と合わせて記述された具体的な特徴、構成、材料又は特性が、本発明の少なくとも１つの実施例又は例示に含まれることを意味する。本明細書において、上記の用語の概略表現は必ずしも同じ実施例又は例示を指さない。且つ、任意の１つ又は複数の実施例や例示において、記述された具体的な特徴、構成、材料又は特性を適当な方法で組み合わせることもできる。
【００４６】
以上の実施形態は、当該解決方法の保護範囲を限定するものではない。上記実施形態の精神や原則内に行ういずれかの変更、均等置き換えや改良等は、いずれも当該解決方法の保護範囲内に含まれる。
【符号の説明】
【００４７】
１０  データライン駆動ユニット
２０  データラインスイッチ
３０  画素スイッチ
４０  画像制御ユニット
５０  画素選択スイッチ
６０  共通電極
【図１】
2019516193.tif 000003
【国際調査報告】
2019516193.tif 000004
2019516193.tif 000005
2019516193.tif 000006
2019516193.tif 000007
2019516193.tif 000008
2019516193.tif 000009